(57)【特許請求の範囲】
【請求項１】
複数のユーザ機器の機器ＩＤを対応付けて記憶する記憶部と；
前記複数のユーザ機器のうちの１のユーザ機器から情報提供元を示す提供元ＩＤが受信されると、前記記憶部において前記ユーザ機器の機器ＩＤに前記提供元ＩＤを対応付けて登録する登録部と；
前記ユーザ機器から対象識別情報が受信されると、前記ユーザ機器の機器ＩＤに対応付けられている提供元ＩＤを前記記憶部から抽出する抽出部と；
前記抽出部により抽出された提供元ＩＤの示す情報提供元へ前記対象識別情報を送信する送信部と；
前記情報提供元において前記対象識別情報に基づいて検索された前記対象識別情報の示す対象に関する情報を受信する受信部と；
を備え、
前記送信部は、前記受信部により受信された前記対象に関する情報を、前記複数のユーザ機器のうちのいずれかのユーザ機器に送信する、情報処理装置。
【請求項２】
前記登録部は、前記ユーザ機器から前記提供元ＩＤと共に前記対象のジャンル情報が受信されると、前記ユーザ機器の機器ＩＤに前記提供元ＩＤおよび前記ジャンル情報を対応付けて登録し、
前記抽出部は、前記ユーザ機器から前記対象識別情報および前記ジャンル情報が受信されると、前記ユーザ機器の機器ＩＤに対応付けられている提供元ＩＤのうちで、前記ジャンル情報が対応付けられている提供元ＩＤを抽出する、請求項１に記載の情報処理装置。
【請求項３】
前記送信部は、前記ユーザ機器により出力先が指定された場合には前記対象に関する情報を指定されたユーザ機器に送信し、出力先が指定されなかった場合には前記対象に関する情報を前記ユーザ機器に送信する、請求項２に記載の情報処理装置。
【請求項４】
前記情報処理装置は、前記情報提供元により１または２以上の前記対象識別情報を含む広告情報が作成されると、前記情報提供元と対応付けられたユーザ機器が前記広告情報を取得するよう動作する、請求項３に記載の情報処理装置。
【請求項５】
前記記憶部は、前記情報提供元から前記広告情報が受信されると、前記広告情報を記憶し、
前記情報処理装置は、
前記ユーザ機器から広告情報を要求されると、前記ユーザ機器の機器ＩＤに対応付けられている情報提供元からの広告情報を前記記憶部から検索する広告情報検索部をさらに備え、
前記送信部は、前記広告情報検索部により検索された広告情報を前記ユーザ機器に送信する、請求項４に記載の情報処理装置。
【請求項６】
前記情報処理装置は、前記情報提供元から前記広告情報の作成通知が受信されると、前記情報提供元の提供元ＩＤと対応付けられている機器ＩＤを検索する機器検索部をさらに備え、
前記送信部は、前記機器検索部により検索された機器ＩＤを有するユーザ機器に前記広告情報の取得用情報を送信する、請求項４に記載の情報処理装置。
【請求項７】
前記ユーザ機器から受信される前記対象識別情報は、前記ユーザ機器において前記広告情報から取得された情報である、請求項４〜６のいずれか一項に記載の情報処理装置。
【請求項８】
前記情報処理装置は、１または２以上の情報提供元から受信される前記対象に関する情報に基づいて検索結果情報を生成する生成部をさらに備え、
前記送信部は、前記生成部により生成された前記検索結果情報を送信する、請求項３に記載の情報処理装置。
【請求項９】
前記対象識別情報の示す対象は商品であり、
前記生成部は、前記１または２以上の情報提供元から受信される前記対象に関する情報を、前記対象の価格が安い順に提示されるように前記検索結果情報に組み込む、請求項８に記載の情報処理装置。
【請求項１０】
前記対象識別情報の示す対象は商品であり、
前記生成部は、前記１または２以上の情報提供元から受信される前記対象に関する情報のうちで、前記対象の在庫がある情報提供元からの情報を前記検索結果情報に組み込む、請求項８に記載の情報処理装置。
【請求項１１】
前記対象識別情報の示す対象は商品であり、
前記生成部は、前記１または２以上の情報提供元から受信される前記対象に関する情報のうちで、前記対象を最も安価に購入できる情報提供元からの情報を前記検索結果情報に組み込む、請求項８に記載の情報処理装置。
【請求項１２】
前記対象識別情報の示す対象は商品であり、
前記生成部は、前記１または２以上の情報提供元の営業時間と現在日時とを比較し、前記１または２以上の情報提供元から受信される前記対象に関する情報のうちで、現在日時が営業時間中である情報提供元からの情報を前記検索結果情報に組み込む、請求項８に記載の情報処理装置。
【請求項１３】
前記生成部は、前記１または２以上の情報提供元から受信される前記対象に関する情報を、前記ユーザ機器が指定する出力先ユーザ機器の現在位置に近い情報提供元からの情報順に提示されるように前記検索結果情報に組み込む、請求項８に記載の情報処理装置。
【請求項１４】
複数のユーザ機器と；
前記複数のユーザ機器の機器ＩＤを対応付けて記憶する記憶部、
前記複数のユーザ機器のうちの１のユーザ機器から情報提供元を示す提供元ＩＤが受信されると、前記記憶部において前記ユーザ機器の機器ＩＤに前記提供元ＩＤを対応付けて登録する登録部と、
前記ユーザ機器から対象識別情報が受信されると、前記ユーザ機器の機器ＩＤに対応付けられている提供元ＩＤを前記記憶部から抽出する抽出部、
前記抽出部により抽出された提供元ＩＤの示す情報提供元へ前記対象識別情報を送信する送信部、および、
前記情報提供元において前記対象識別情報に基づいて検索された前記対象識別情報の示す対象に関する情報を受信する受信部、
を有する情報処理装置と；
を備え、
前記送信部は、前記受信部により受信された前記対象に関する情報を、前記複数のユーザ機器のうちのいずれかのユーザ機器に送信する、情報処理システム。
【請求項１５】
コンピュータを、
複数のユーザ機器の機器ＩＤを対応付けて記憶する記憶部と；
前記複数のユーザ機器のうちの１のユーザ機器から情報提供元を示す提供元ＩＤが受信されると、前記記憶部において前記ユーザ機器の機器ＩＤに前記提供元ＩＤを対応付けて登録する登録部と；
前記ユーザ機器から対象識別情報が受信されると、前記ユーザ機器の機器ＩＤに対応付けられている提供元ＩＤを前記記憶部から抽出する抽出部と；
前記抽出部により抽出された提供元ＩＤの示す情報提供元へ前記対象識別情報を送信する送信部と；
前記情報提供元において前記対象識別情報に基づいて検索された前記対象識別情報の示す対象に関する情報を受信する受信部と；
を備え、
前記送信部は、前記受信部により受信された前記対象に関する情報を、前記複数のユーザ機器のうちのいずれかのユーザ機器に送信する情報処理装置、として機能させるための、プログラム。
【請求項１６】
複数のユーザ機器の機器ＩＤを対応付けて記憶するステップと；
前記複数のユーザ機器のうちの１のユーザ機器から情報提供元を示す提供元ＩＤが受信されると、記憶媒体に前記ユーザ機器の機器ＩＤに前記提供元ＩＤを対応付けて登録するステップと；
前記ユーザ機器から対象識別情報が受信されると、前記ユーザ機器の機器ＩＤに対応付けられている提供元ＩＤを前記記憶媒体から抽出するステップと；
前記抽出された提供元ＩＤの示す情報提供元へ前記対象識別情報を送信するステップと；
前記情報提供元において前記対象識別情報に基づいて検索された前記対象識別情報の示す対象に関する情報を受信するステップと；
前記対象に関する情報を、前記複数のユーザ機器のうちのいずれかのユーザ機器に送信するステップと；
を含む、情報処理装置により実行される情報処理方法。
【発明の詳細な説明】
【技術分野】
【０００１】
本発明は、情報処理装置、情報処理システム、プログラム、および情報処理方法に関する。
【背景技術】
【０００２】
近日、放送されたＣＭデータを記憶し、カタログ化されたＣＭデータの中からユーザにより選択されたＣＭデータをユーザに提示する装置が提案されている。さらに、例えば特許文献１および特許文献２には、ＣＭデータで宣伝される商品を購入可能な店舗、当該店舗における在庫の有無および価格などの商品情報をユーザに提示するためのシステムの提案されている。
【先行技術文献】
【特許文献】
【０００３】
【特許文献１】特開２００２−２１８３７７号公報
【特許文献２】特開２００４−２２９２２８号公報
【発明の概要】
【発明が解決しようとする課題】
【０００４】
ここで、各ユーザは、お気に入りの店舗、よく利用する店舗、およびポイントを貯めている店舗などを有し、これらの店舗はユーザごとに異なる。しかし、従来のシステムでは、いずれの店舗を商品の購入先としてユーザに提示するか、すなわち、いずれの店舗における商品情報をユーザに提示するかに、ユーザの意志や嗜好を反映させることが困難であった。
【０００５】
そこで、本発明は、上記問題に鑑みてなされたものであり、本発明の目的とするところは、各ユーザに、各ユーザが希望する情報提供元からの情報を提示するための、新規かつ改良された情報処理装置、情報処理システム、プログラム、および情報処理方法を提供することにある。
【課題を解決するための手段】
【０００６】
上記課題を解決するために、本発明のある観点によれば、複数のユーザ機器の機器ＩＤを対応付けて記憶する記憶部と、前記複数のユーザ機器のうちの１のユーザ機器から情報提供元を示す提供元ＩＤが受信されると、前記記憶部において前記ユーザ機器の機器ＩＤに前記提供元ＩＤを対応付けて登録する登録部と、前記ユーザ機器から対象識別情報が受信されると、前記ユーザ機器の機器ＩＤに対応付けられている提供元ＩＤを前記記憶部から抽出する抽出部と、前記抽出部により抽出された提供元ＩＤの示す情報提供元へ前記対象識別情報を送信する送信部と、前記情報提供元において前記対象識別情報に基づいて検索された前記対象識別情報の示す対象に関する情報を受信する受信部とを備え、前記送信部は、前記受信部により受信された前記対象に関する情報を、前記複数のユーザ機器のうちのいずれかのユーザ機器に送信する、情報処理装置が提供される。
【０００７】
前記登録部は、前記ユーザ機器から前記提供元ＩＤと共に前記対象のジャンル情報が受信されると、前記ユーザ機器の機器ＩＤに前記提供元ＩＤおよび前記ジャンル情報を対応付けて登録し、前記抽出部は、前記ユーザ機器から前記対象識別情報および前記ジャンル情報が受信されると、前記ユーザ機器の機器ＩＤに対応付けられている提供元ＩＤのうちで、前記ジャンル情報が対応付けられている提供元ＩＤを抽出してもよい。
【０００８】
前記送信部は、前記ユーザ機器により出力先が指定された場合には前記対象に関する情報を指定されたユーザ機器に送信し、出力先が指定されなかった場合には前記対象に関する情報を前記ユーザ機器に送信してもよい。
【０００９】
前記情報処理装置は、前記情報提供元により１または２以上の前記対象識別情報を含む広告情報が作成されると、前記情報提供元と対応付けられたユーザ機器が前記広告情報を取得するよう動作してもよい。
【００１０】
前記記憶部は、前記情報提供元から前記広告情報が受信されると、前記広告情報を記憶し、前記情報処理装置は、前記ユーザ機器から広告情報を要求されると、前記ユーザ機器の機器ＩＤに対応付けられている情報提供元からの広告情報を前記記憶部から検索する広告情報検索部をさらに備え、前記送信部は、前記広告情報検索部により検索された広告情報を前記ユーザ機器に送信してもよい。
【００１１】
前記情報処理装置は、前記情報提供元から前記広告情報の作成通知が受信されると、前記情報提供元の提供元ＩＤと対応付けられている機器ＩＤを検索する機器検索部をさらに備え、前記送信部は、前記機器検索部により検索された機器ＩＤを有するユーザ機器に前記広告情報の取得用情報を送信してもよい。
【００１２】
前記ユーザ機器から受信される前記対象識別情報は、前記ユーザ機器において前記広告情報から取得された情報であってもよい。
【００１３】
前記情報処理装置は、１または２以上の情報提供元から受信される前記対象に関する情報に基づいて検索結果情報を生成する生成部をさらに備え、前記送信部は、前記生成部により生成された前記検索結果情報を送信してもよい。
【００１４】
前記対象識別情報の示す対象は商品であり、前記生成部は、前記１または２以上の情報提供元から受信される前記対象に関する情報を、前記対象の価格が安い順に提示されるように前記検索結果情報に組み込んでもよい。
【００１５】
前記対象識別情報の示す対象は商品であり、前記生成部は、前記１または２以上の情報提供元から受信される前記対象に関する情報のうちで、前記対象の在庫がある情報提供元からの情報を前記検索結果情報に組み込んでもよい。
【００１６】
前記対象識別情報の示す対象は商品であり、前記生成部は、前記１または２以上の情報提供元から受信される前記対象に関する情報のうちで、前記対象を最も安価に購入できる情報提供元からの情報を前記検索結果情報に組み込んでもよい。
【００１７】
前記対象識別情報の示す対象は商品であり、前記生成部は、前記１または２以上の情報提供元の営業時間と現在日時とを比較し、前記１または２以上の情報提供元から受信される前記対象に関する情報のうちで、現在日時が営業時間中である情報提供元からの情報を前記検索結果情報に組み込んでもよい。
【００１８】
前記生成部は、前記１または２以上の情報提供元から受信される前記対象に関する情報を、前記ユーザ機器の現在位置に近い情報提供元からの情報順に提示されるように前記検索結果情報に組み込んでもよい。
【００１９】
また、上記課題を解決するために、本発明の別の観点によれば、複数のユーザ機器と、前記複数のユーザ機器の機器ＩＤを対応付けて記憶する記憶部、前記複数のユーザ機器のうちの１のユーザ機器から情報提供元を示す提供元ＩＤが受信されると、前記記憶部において前記ユーザ機器の機器ＩＤに前記提供元ＩＤを対応付けて登録する登録部と、前記ユーザ機器から対象識別情報が受信されると、前記ユーザ機器の機器ＩＤに対応付けられている提供元ＩＤを前記記憶部から抽出する抽出部、前記抽出部により抽出された提供元ＩＤの示す情報提供元へ前記対象識別情報を送信する送信部、および、前記情報提供元において前記対象識別情報に基づいて検索された前記対象識別情報の示す対象に関する情報を受信する受信部、を有する情報処理装置と、を備え、前記送信部は、前記受信部により受信された前記対象に関する情報を、前記複数のユーザ機器のうちのいずれかのユーザ機器に送信する、情報処理システムが提供される。
【００２０】
また、上記課題を解決するために、本発明の別の観点によれば、コンピュータを、複数のユーザ機器の機器ＩＤを対応付けて記憶する記憶部と、前記複数のユーザ機器のうちの１のユーザ機器から情報提供元を示す提供元ＩＤが受信されると、前記記憶部において前記ユーザ機器の機器ＩＤに前記提供元ＩＤを対応付けて登録する登録部と、前記ユーザ機器から対象識別情報が受信されると、前記ユーザ機器の機器ＩＤに対応付けられている提供元ＩＤを前記記憶部から抽出する抽出部と、前記抽出部により抽出された提供元ＩＤの示す情報提供元へ前記対象識別情報を送信する送信部と、前記情報提供元において前記対象識別情報に基づいて検索された前記対象識別情報の示す対象に関する情報を受信する受信部と、を備え、前記送信部は、前記受信部により受信された前記対象に関する情報を、前記複数のユーザ機器のうちのいずれかのユーザ機器に送信する情報処理装置、として機能させるためのプログラムが提供される。
【００２１】
また、上記課題を解決するために、本発明の別の観点によれば、複数のユーザ機器の機器ＩＤを対応付けて記憶するステップと、前記複数のユーザ機器のうちの１のユーザ機器から情報提供元を示す提供元ＩＤが受信されると、前記記憶部において前記ユーザ機器の機器ＩＤに前記提供元ＩＤを対応付けて登録するステップと、前記ユーザ機器から対象識別情報が受信されると、前記ユーザ機器の機器ＩＤに対応付けられている提供元ＩＤを前記記憶部から抽出するステップと、前記抽出された提供元ＩＤの示す情報提供元へ前記対象識別情報を送信するステップと、前記情報提供元において前記対象識別情報に基づいて検索された前記対象識別情報の示す対象に関する情報を受信するステップと、前記対象に関する情報を、前記複数のユーザ機器のうちのいずれかのユーザ機器に送信するステップと、を含む情報処理方法が提供される。
【発明の効果】
【００２２】
以上説明したように本発明によれば、各ユーザに、各ユーザが希望する情報提供元からの情報を提示することができる。
【図面の簡単な説明】
【００２３】
【図１】本発明の実施形態による情報処理システムの構成を示した説明図である。
【図２】本実施形態による機器管理サーバの構成を示した機能ブロック図である。
【図３】本実施形態による映像処理機器の構成を示した機能ブロック図である。
【図４】本実施形態による携帯端末の構成を示した機能ブロック図である。
【図５】機器管理サーバが複数のユーザ機器の機器ＩＤを対応付けて登録するための処理を示したシーケンス図である。
【図６】店舗ＩＤを発行するための第１の処理例を示したシーケンス図である。
【図７】店舗ＩＤを発行するための第２の処理例を示したシーケンス図である。
【図８】店舗ＩＤを発行するための第３の処理例を示したシーケンス図である。
【図９】機器ＩＤと店舗ＩＤを対応付けるための第１の処理例を示したシーケンス図である。
【図１０】機器ＩＤと店舗ＩＤを対応付けるための第２の処理例を示したシーケンス図である。
【図１１】機器ＩＤと店舗ＩＤを対応付けるための第３の処理例を示したシーケンス図である。
【図１２】機器ＩＤおよび店舗ＩＤの登録処理後の機器ＩＤや店舗ＩＤの登録状態を模式的に示した説明図である。
【図１３】機器ＩＤや店舗ＩＤの登録状態の他の例を示した説明図である。
【図１４】機器ＩＤとモールＩＤが対応付けて登録される例を示した説明図である。
【図１５】機器ＩＤと、グルメサイトサーバの店舗ＩＤが対応付けて登録される例を示した説明図である。
【図１６】ＣＭメタ情報に基づいてユーザが商品選択する具体例を示した説明図である。
【図１７】ユーザ機器が商品情報を取得するための処理を示したシーケンス図である。
【図１８】検索依頼先の各店舗に商品在庫がない場合の代替処理を示した説明図である。
【図１９】ユーザ機器が商品情報を取得するための処理を示した説明図である。
【図２０】ユーザ機器が商品情報を取得するための処理を示した説明図である。
【図２１】検索結果画面の具体例を示した説明図である。
【図２２】チラシデータの具体例を示した説明図である。
【図２３】ユーザ機器がチラシデータを取得するための第１の処理例を示したシーケンス図である。
【図２４】ユーザ機器がチラシデータを取得するための第２の処理例を示したシーケンス図である。
【図２５】チラシ画像を表示する具体例を示した説明図である。
【図２６】チラシ画像から商品を選択する具体例を示した説明図である。
【図２７】ビデオショッピングとして記録された番組データを表示する具体例を示した説明図である。
【図２８】ビデオショッピングとして記録された番組データに基づいて商品情報を取得する具体例を示した説明図である。
【図２９】ビデオショッピングとして記録された番組データに基づいて商品情報を取得する他の例を示した説明図である。
【図３０】ユーザ機器が飲食店情報を取得する具体例を示した説明図である。
【図３１】ユーザ機器が飲食店情報を取得する具体例を示した説明図である。
【発明を実施するための形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて店舗装置３０Ａ、および３０Ｂのように区別する。ただし、実質的に同一の機能構成を有する複数の構成要素の各々を特に区別する必要がない場合、同一符号のみを付する。例えば、店舗装置３０Ａ、および３０Ｂを特に区別する必要が無い場合には、単に店舗装置３０と称する。
【００２６】
また、以下に示す項目順序に従って当該「発明を実施するための形態」を説明する。
１．本実施形態による情報処理システムの構成
２．機器管理サーバの構成
３．映像処理機器の構成
４．携帯端末の構成
５．情報処理システムの動作概要
６．各処理の詳細な説明
６−１．ユーザ機器の登録
６−２．店舗への店舗ＩＤの発行
（第１の例）
（第２の例）
（第３の例）
６−３．店舗ＩＤの登録
（第１の例）
（第２の例）
（第３の例）
（登録状態の具体例）
（補足）
６−４．商品の選択、および商品情報の取得
（第１の例）
（第２の例）
（第３の例）
（第４の例）
７．補足
【００２７】
＜１．本実施形態による情報処理システムの構成＞  
まず、図１を参照し、本発明の実施形態による情報処理システム１の構成を説明する。
【００２８】
図１は、本発明の実施形態による情報処理システム１の構成を示した説明図である。図１に示したように、本発明の実施形態による情報処理システム１は、機器管理サーバ１０、ネットワーク１２、放送局１４、映像処理機器２０、携帯端末２２、表示装置２４、店舗装置３０Ａおよび３０Ｂを備える。ここで、映像処理機器２０、携帯端末２２、および表示装置２４は、あるユーザＡが利用するユーザ機器群である。ただし、ユーザという語は、単一ユーザ、および複数ユーザの双方の概念を含む。例えば、映像処理機器２０、携帯端末２２、および表示装置２４を利用または所有するユーザＡは、単一ユーザであっても、複数ユーザからなる家族などであってもよい。
【００２９】
また、図１においては、ユーザＡの有するユーザ機器群を一例として示しているに過ぎず、情報処理システム１は多数のユーザのユーザ機器群を備えてもよい。同様に、図１においては、店舗装置３０の一例として店舗装置３０Ａおよび３０Ｂのみを示しているが、情報処理システム１は多数の店舗装置３０を備えてもよい。
【００３０】
機器管理サーバ１０、ユーザ機器群、および店舗装置３０は、ネットワーク１２を介して接続される。ネットワーク１２は、ネットワーク１２に接続されている装置から送信される情報の有線、または無線の伝送路である。例えば、ネットワーク１２は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、ネットワーク１２は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００３１】
放送局１４は、番組やＣＭなどのコンテンツを放送する。例えば、放送局１４は、ＢＳ（Ｂｒｏａｄｃａｓｔ  Ｓａｔｅｌｌｉｔｅ）放送、ＣＳ（ｃｏｍｍｕｎｉｃａｔｉｏｎｓ  ｓａｔｅｌｌｉｔｅ）放送、地上波デジタル放送、地上波アナログ放送、またはケーブル放送など任意の方式のテレビジョン放送によりコンテンツを送信する。
【００３２】
また、放送局１４は、番組やＣＭなどのコンテンツに付随して、各番組や各ＣＭのメタ情報も送信する。番組メタ情報としては、番組ＩＤ、タイトル、出演者、制作スタッフ、ジャンル、制作年、番組に登場する商品の識別情報（例えば、商品ＩＤ、商品名、商品ジャンル）、および番組に登場する店舗の識別情報などがあげられる。また、ＣＭメタ情報としては、ＣＭのＩＤ、タイトル、ＣＭの長さ、スポンサＩＤ、宣伝対象の商品の識別情報（例えば、商品ＩＤ、商品名、商品ジャンル）などがあげられる。
【００３３】
店舗装置３０は、店舗の運営者が利用する装置であり、店舗に応じた情報のデータベースを記憶している。例えば、店舗が商品を販売する個人商店である場合、店舗装置３０は、店舗で取り扱っている商品の商品情報データベースを記憶している。また、店舗装置３０は、ユーザ機器からの要求に応じて商品情報を提供する情報提供元として機能する。なお、店舗装置３０は、実店舗に対応する装置に限られず、ネットワーク上のＷｅｂページを介して商品販売を行う仮想店舗に対応する装置であってもよい。
【００３４】
また、各店舗には機器管理サーバ１０により店舗ＩＤ（提供元ＩＤ）が発行され、例えば、各店舗内に店舗ＩＤが書き込まれたＲＦタグ、または店舗ＩＤが埋め込まれたＱＲコードが配される。
【００３５】
ユーザ機器は、ネットワーク通信機能、コンテンツ再生機能、および非接触通信機能などを有する。例えば、映像処理機器２０は、放送局１４から送信されるコンテンツを再生し、表示装置２４は、映像処理機器２０により再生されたコンテンツを表示する。また、携帯端末２２は、ＲＦタグ、および非接触通信による読取りおよび書き込みを行うＲ（Ｒｅａｄｅｒ）／Ｗ（Ｗｒｉｔｅｒ）を備え、各店舗に設けられたＲＦタグから店舗ＩＤを読み取ることができる。また、携帯端末２２は、店舗装置３０から送信された商品情報をネットワーク１２を介して受信し、表示画面に表示することができる。
【００３６】
なお、図１においては、ユーザ機器の一例として映像処理機器２０、携帯端末２２、および表示装置２４を示しているが、ユーザ機器は上記の例に限定されない。例えば、ユーザ機器は、ＰＣ（Ｐｅｒｓｏｎａｌ  Ｃｏｍｐｕｔｅｒ）、家庭用ゲーム機器、家電機器などの情報処理装置であってもよい。また、ユーザ機器は、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの情報処理装置であってもよい。
【００３７】
機器管理サーバ１０（情報処理装置）は、ユーザ機器をユーザごとに対応付けて管理する。例えば、機器管理サーバ１０は、ユーザＡが利用する映像処理機器２０の機器ＩＤ、携帯端末２２の端末ＩＤ、および携帯端末２２に設けられたＲＦタグのタグＩＤを対応付けて登録する。その他、機器管理サーバ１０は、詳細については後述するが、店舗ＩＤの発行、店舗ＩＤとユーザ機器の対応付け、店舗装置３０への情報検索要求、ユーザ機器への情報送信などを行う。
【００３８】
＜２．機器管理サーバの構成＞
以上、図１を参照して情報処理システム１の構成を説明した。続いて、図２を参照し、機器管理サーバ１０の構成を説明する。
【００３９】
図２は、本実施形態による機器管理サーバ１０の構成を示した機能ブロック図である。図２に示したように、機器管理サーバ１０は、ＲＯＭ１０２、ＲＡＭ１０４、バス１０６、ネットワーク通信部１０８、ＩＤ発行部１１０、登録処理部１１２、記憶部１１４、検索要求部１１６、情報生成部１１８、およびチラシ管理部１２０を備える。機器管理サーバ１０の各構成は、バス１０６を介して接続されている。
【００４０】
ＲＯＭ（Ｒｅａｄ  Ｏｎｌｙ  Ｍｅｍｏｒｙ）１０２は、機器管理サーバ１０の各構成を実現するＣＰＵ（Ｃｅｎｔｒａｌ  Ｐｒｏｃｅｓｓｉｎｇ  Ｕｎｉｔ）が使用するプログラムや演算パラメータ等を記憶する。また、ＲＡＭ（Ｒａｎｄｏｍ  Ａｃｃｅｓｓ  Ｍｅｍｏｒｙ）１０４は、ＣＰＵが使用するプログラムや、その実行において適宜変化するパラメータ等を一時記憶する。
【００４１】
ネットワーク通信部１０８は、ネットワーク１２とのインターフェースであり、ネットワーク１２を介してユーザ機器や店舗装置３０と情報を送受信する送信部および受信部として機能する。
【００４２】
ＩＤ発行部１１０は、店舗装置３０に店舗ＩＤを発行するための処理を行う。店舗ＩＤの発行については、「６−２．店舗への店舗ＩＤの発行」において詳細に説明する。
【００４３】
登録処理部１１２（登録部）は、１のユーザのユーザ機器の機器ＩＤ（端末ＩＤ、およびタグＩＤを含む）を対応付けて記憶部１１４に登録する。このユーザ機器の機器ＩＤの登録については、「６−１．ユーザ機器の登録」において詳細に説明する。また、登録処理部１１２は、ネットワーク通信部１０８により機器ＩＤと併せて店舗ＩＤが受信されると、店舗ＩＤを機器ＩＤと対応付けて記憶部１１４に登録する。この店舗ＩＤの登録については、「６−３．店舗ＩＤの登録」において詳細に説明する。
【００４４】
検索要求部１１６（抽出部）は、ユーザ機器から商品ＩＤ（対象識別情報）を含む検索依頼がネットワーク通信部１０８により受信されると、ユーザ機器の機器ＩＤと対応付けられている店舗ＩＤを記憶部１１４から抽出する。ネットワーク通信部１０８は、検索要求部１１６により抽出された店舗ＩＤの示す店舗装置３０へユーザ機器から受信した商品ＩＤを送信する。そして、店舗装置３０は、機器管理サーバ１０から商品ＩＤを受信すると、商品ＩＤの示す商品の商品情報を検索し、検索した商品情報を機器管理サーバ１０に送信する。
【００４５】
情報生成部１１８は、ネットワーク通信部１０８により店舗装置３０から受信された商品情報に基づき、ユーザ機器に送信するための検索結果情報を生成する。情報生成部１１８により生成された検索結果情報は、ネットワーク通信部１０８からユーザ機器へ送信される。このような情報生成部１１８、および検索要求部１１６の処理については、「６−４．商品の選択、および商品情報の取得」において詳細に説明する。
【００４６】
チラシ管理部１２０は、広告情報検索部および機器検索部としての機能を有し、店舗により広告情報である電子チラシが作成されると、当該店舗の店舗ＩＤと対応付けられたユーザ機器に電子チラシが提供されるよう動作する。この電子チラシ、および電子チラシの提供方法については、「６−４．商品の選択、および商品情報の取得」において詳細に説明する。
【００４７】
＜３．映像処理機器の構成＞
次に、図３を参照し、本実施形態による映像処理機器２０の構成を説明する。
【００４８】
図３は、本実施形態による映像処理機器２０の構成を示した機能ブロック図である。図３に示したように、映像処理機器２０は、ＲＯＭ２０２、ＲＡＭ２０４、バス２０６、ネットワーク通信部２０８、放送受信部２１０、ユーザ入力部２１２、データ記憶部２１４、映像・音声入出力部２１６、表示生成部２１８、記録処理部２２０、ＣＭ判別部２２２、検索依頼生成部２２４、および中央制御部２２６を備える。
【００４９】
ＲＯＭ２０２は、映像処理機器２０の各構成を実現するＣＰＵが使用するプログラムや演算パラメータ等を記憶する。また、ＲＡＭ２０４は、映像処理機器２０のＣＰＵが使用するプログラムや、その実行において適宜変化するパラメータ等を一時記憶する。
【００５０】
ネットワーク通信部２０８は、ネットワーク１２とのインターフェースであり、ネットワーク１２を介して機器管理サーバ１０と情報を送受信する送信部および受信部として機能する。放送受信部２１０は、放送局１４から送信された番組データやＣＭデータなどのコンテンツデータ、および付随するメタ情報を受信する。
【００５１】
ユーザ入力部２１２は、ユーザが情報や指示などを入力するための構成である。例えば、ユーザは、ユーザ入力部２１２を介して番組選択、録画予約、および商品情報の要求などを行うことができる。なお、このユーザ入力部２１２は、例えば、マウス、キーボード、タッチパネル、ボタン、マイクロフォン、スイッチ、またはリモートコントローラの受光部であってもよい。
【００５２】
データ記憶部２１４は、放送受信部２１０により受信された番組データやＣＭデータ、およびネットワーク通信部２０８を介して取得される電子チラシなどのコンテンツデータからなるコンテンツＤＢを有する。また、データ記憶部２１４は、コンテンツのメタ情報のデータベースを複数有し、各データベースは異なるコンテンツ種別のメタ情報を含む。具体的には、データ記憶部２１４は、ＣＭメタ情報からなＣＭメタ情報ＤＢ、番組メタ情報からなる番組メタ情報ＤＢ、およびチラシメタ情報からなるチラシメタ情報ＤＢを有する。
【００５３】
なお、このデータ記憶部２１４は、不揮発性メモリ、磁気ディスク、光ディスク、およびＭＯ（Ｍａｇｎｅｔｏ  Ｏｐｔｉｃａｌ）ディスクなどの記憶媒体であってもよい。不揮発性メモリとしては、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）があげられる。また、磁気ディスクとしては、ハードディスクおよび円盤型磁性体ディスクなどがあげられる。また、光ディスクとしては、ＣＤ（Ｃｏｍｐａｃｔ  Ｄｉｓｃ）、ＤＶＤ−Ｒ（Ｄｉｇｉｔａｌ  Ｖｅｒｓａｔｉｌｅ  Ｄｉｓｃ  Ｒｅｃｏｒｄａｂｌｅ）およびＢＤ（Ｂｌｕ−Ｒａｙ  Ｄｉｓｃ（登録商標））などがあげられる。
【００５４】
映像・音声入出力部２１６は、外部装置と映像・音声を入出力するための構成である。例えば、映像・音声入出力部２１６は、表示生成部２１８により再生されたコンテンツを表示装置２４へ出力する。
【００５５】
表示生成部２１８は、中央制御部２２６による制御に基づいてコンテンツを再生し、コンテンツの再生画面を生成する。また、表示生成部２１８は、中央制御部２２６による制御に基づいてメニュー画面やコンテンツの選択画面などの表示画面を生成する。
【００５６】
記録処理部２２０は、中央制御部２２６による制御に基づき、放送受信部２１０により受信された番組データや、ネットワーク通信部２０８により受信された電子チラシなどをコンテンツＤＢに記録する。また、記録処理部２２０は、放送受信部２１０により受信された番組データのメタ情報を番組メタ情報ＤＢに記録し、ネットワーク通信部２０８により受信された電子チラシのチラシメタ情報をチラシメタ情報ＤＢに記録する。
【００５７】
ＣＭ判別部２２２は、放送受信部２１０により受信された放送波のうちのＣＭデータ部分を判別する。これにより、放送波からＣＭデータを番組データと分離して抽出し、ＣＭカタログを生成することが可能となる。
【００５８】
検索依頼生成部２２４は、ユーザにより表示画面を介して商品が選択されると、選択された商品の商品情報の検索依頼を生成する。この検索依頼は、選択された商品の商品ＩＤを含み、ネットワーク通信部２０８から機器管理サーバ１０へ送信される。また、検索依頼生成部２２４は、検索依頼において、検索結果の送信先を指定することもできる。例えば、携帯端末２２を検索結果の送信先として指定した場合、上記商品の商品情報の選択結果が携帯端末２２へ送信される。
【００５９】
中央制御部２２６は、映像処理機器２０の動作全般を制御する。例えば、中央制御部２２６は、ユーザにより表示画面を介して商品が選択されると、検索依頼生成部２２４に商品情報の検索依頼の生成を指示する。また、中央制御部２２６は、受信チャネルを放送受信部２１０に指示したり、ネットワーク通信部２０８による通信を制御したり、表示生成部２１８へ表示画面の生成やコンテンツの再生などを指示する。
【００６０】
＜４．携帯端末の構成＞
続いて、図４を参照し、本実施形態による携帯端末２２の構成を説明する。
【００６１】
図４は、本実施形態による携帯端末２２の構成を示した機能ブロック図である。図４に示したように、携帯端末２２は、ＲＯＭ２５２と、ＲＡＭ２５４と、バス２５６と、ネットワーク通信部２５８と、ＲＦタグ２６０と、Ｒ／Ｗ２６２と、ＱＲコード読取り部２６４と、ユーザ入力部２６６と、表示生成部２６８と、表示部２７０と、中央制御部２７２と、を備える。
【００６２】
ＲＯＭ２５２は、携帯端末２２の各構成を実現するＣＰＵが使用するプログラムや演算パラメータ等を記憶する。また、ＲＡＭ２５４は、携帯端末２２のＣＰＵが使用するプログラムや、その実行において適宜変化するパラメータ等を一時記憶する。
【００６３】
ネットワーク通信部２５８は、ネットワーク１２とのインターフェースであり、ネットワーク１２を介して機器管理サーバ１０と情報を送受信する送信部および受信部として機能する。
【００６４】
ＲＦタグ２６０は、認証情報および電子マネー情報など多様な情報を格納することが可能である。ＲＦタグ２６０への情報の書き込み、およびＲＦタグ２６０からの情報の読み出しは外部のＲ／Ｗにより行われる。なお、このＲＦタグ２６０には、ＲＦタグ２６０を識別するタグＩＤが付されている。
【００６５】
Ｒ／Ｗ２６２は、外部のＲＦタグへの情報の書き込み、および外部のＲＦタグからの情報の読み出しなどを行う。本実施形態においては、Ｒ／Ｗ２６２は、例えば店舗内の商品に付されたＲＦタグから商品ＩＤと店舗ＩＤを読み出すために用いられる。
【００６６】
ＱＲコード読取り部２６４は、画像として表示されたＱＲコード（二次元バーコード）を撮像し、撮像した画像を処理することによりＱＲコードに埋め込まれた情報を読み取る。本実施形態においては、ＱＲコード読取り部２６４は、例えば店舗に配されたＱＲコードから店舗ＩＤを読み取るために用いられる。
【００６７】
ユーザ入力部２６６は、ユーザが情報や指示などを入力するための構成である。例えば、ユーザは、表示部２７０に表示された商品の購入指示をユーザ入力部２６６に入力することができる。このユーザ入力部２６６は、キーボード、タッチパネル、またはボタンなどであってもよい。
【００６８】
表示生成部２６８は、ユーザ操作画面や、ネットワーク通信部２５８により受信される情報の表示画面など多様な表示画面を生成する。表示部２７０は、表示生成部２６８により生成された表示画面を表示する。例えば、本実施形態においては、映像処理機器２０が検索依頼した商品の検索結果情報が機器管理サーバ１０からネットワーク通信部２５８により受信され、表示生成部２６８が検索結果情報に基づいて検索結果画面を生成し、表示部２７０が検索結果画面を表示する。
【００６９】
中央制御部２７２は、携帯端末２２の動作全般を制御する。例えば、中央制御部２７２は、ネットワーク通信部２５８による通信を制御したり、Ｒ／Ｗ２６２やＱＲコード読取り部２６４を起動させたり、表示生成部２６８に表示画面の生成を指示したりする。
【００７０】
＜５．情報処理システムの動作概要＞
以上、本実施形態による情報処理システム１を構成する機器管理サーバ１０、映像処理機器２０、および携帯端末２２の構成を説明した。続いて、本実施形態による情報処理システム１の動作の概要を説明する。本実施形態による情報処理システム１における主要動作は、以下の通りである。
【００７１】
（１）機器管理サーバ１０が、ユーザ機器の機器ＩＤを相互に対応付けて登録する。
（２）機器管理サーバ１０が、各店舗に店舗ＩＤを発行する。
（３）機器管理サーバ１０が、ユーザのお気に入りの店舗の店舗ＩＤを、当該ユーザのユーザ機器の機器ＩＤに対応付けて登録する。
（４）ユーザがユーザ機器において商品を選択し、ユーザ機器が当該商品の商品ＩＤおよび出力先情報を含む検索依頼を機器管理サーバ１０へ送信する。
（５）機器管理サーバ１０が、ユーザ機器の機器ＩＤに対応付けられている店舗ＩＤを抽出し、当該店舗ＩＤに対応する店舗装置へ商品ＩＤを送信する。
（６）商品ＩＤを受信した各店舗装置３０は、商品ＩＤの示す商品の情報を店舗内ＤＢから検索し、検索された商品情報を機器管理サーバ１０へ送信する。
（７）機器管理サーバ１０が、出力先情報により指定されるユーザ機器（例えば、携帯端末２２）に、各店舗装置３０から受信した商品情報を送信する。
（８）携帯端末２２は、機器管理サーバ１０を介して受信した商品情報をユーザに提示する。
【００７２】
かかる構成により、各ユーザのお気に入りの店舗において管理される商品情報を、各ユーザが所望した時に、各ユーザにより指定されたユーザ機器に提供することが可能となる。
【００７３】
なお、上記（１）については「６−１．ユーザ機器の登録」において詳細に説明し、上記（２）については「６−２．店舗への店舗ＩＤの発行」において詳細に説明し、上記（３）については「６−３．店舗ＩＤの登録」において詳細に説明する。また、上記（４）〜（８）については「６−４．商品の選択、および商品情報の取得」において詳細に説明する。
【００７４】
＜６．各処理の詳細な説明＞
［６−１．ユーザ機器の登録］
図５は、機器管理サーバ１０が複数のユーザ機器の機器ＩＤを対応付けて登録するための処理を示したシーケンス図である。図５に示したように、まず、映像処理機器２０が登録メニューを起動する。そして、映像処理機器２０の中央制御部２２６がワンタイムパスワードを生成し、表示生成部２１８が映像処理機器２０の機器ＩＤ、機器管理サーバ１０のＵＲＬ、および暗号化ワンタイムパスワードが埋め込まれたＱＲコードを生成し、表示装置２４がＱＲコードを表示する（Ｓ３０２）。
【００７５】
一方、携帯端末２２がＱＲコード読取り部２６４を起動し（Ｓ３０４）、ＱＲコード読取り部２６４が、表示装置２４に表示されたＱＲコードから、機器ＩＤ、機器管理サーバ１０のＵＲＬ、および暗号化ワンタイムパスワードを読み取る（Ｓ３０６）。その後、携帯端末２２は、映像処理機器２０の機器ＩＤ、携帯端末２２の端末ＩＤ、および暗号化ワンタイムパスワードを、ネットワーク通信部２５８から機器管理サーバ１０へ送信する（Ｓ３０８）。
【００７６】
また、映像処理機器２０は、ネットワーク通信部２５８から登録確認要求として映像処理機器２０の機器ＩＤとワンタイムパスワードを機器管理サーバ１０へ送信する（Ｓ３１０）。
【００７７】
その後、機器管理サーバ１０の登録処理部１１２は、携帯端末２２から受信した暗号化ワンタイムパスワードの正当性を判断し、暗号化ワンタイムパスワードが正当である場合、携帯端末２２から受信した機器ＩＤおよび端末ＩＤを対付けて記憶部１１４に登録する（Ｓ３１２）。例えば、登録処理部１１２は、映像処理機器２０から受信したワンタイムパスワードを暗号化し、暗号化したワンタイムパスワードと携帯端末２２から受信した暗号化ワンタイムパスワードが一致するか否かに基づいて正当性を判断してもよい。登録が完了すると、機器管理サーバ１０は携帯端末２２に登録完了通知を送信する（Ｓ３１６）。
【００７８】
続いて、携帯端末２２が、ＲＦタグのタグＩＤ登録用アプリのダウンロードを機器管理サーバ１０に要求し（Ｓ３１８）、機器管理サーバ１０からタグＩＤの登録用アプリが送信される（Ｓ３２０）。そして、携帯端末２２は、登録用アプリに基づいてＲＦタグ２６０のタグＩＤを読み出し（Ｓ３２２）、読み出したタグＩＤを端末ＩＤと共に機器管理サーバ１０へ送信する（Ｓ３２４）。
【００７９】
機器管理サーバ１０の登録処理部１１２は、携帯端末２２から端末ＩＤおよびタグＩＤが受信されると、タグＩＤを、既に登録済みの端末ＩＤと対応付けて記憶部１１４に登録する（Ｓ３２６）。そして、登録が完了すると、機器管理サーバ１０は携帯端末２２に登録完了通知を送信する（Ｓ３２８）。
【００８０】
以上の処理により、映像処理機器２０の機器ＩＤ、携帯端末２２の端末ＩＤ、および携帯端末２２に設けられたＲＦタグのタグＩＤを機器管理サーバ１０において対応付けて登録することができる。なお、上記の処理は機器ＩＤの登録のための一例に過ぎず、本発明はかかる例に限定されない。また、上記と同様の処理により、より多数のユーザ機器の機器ＩＤを対応付けて登録することも可能である。
【００８１】
［６−２．店舗への店舗ＩＤの発行］
機器管理サーバ１０は、各店舗に多様な方法により店舗ＩＤを発行することができる。以下では、その一例として、店舗ＩＤを発行するための第１の処理例〜第３の処理例を説明する。
【００８２】
（第１の例）
図６は、店舗ＩＤを発行するための第１の処理例を示したシーケンス図である。図６に示したように、まず、店舗装置３０は店舗用のＲＦタグ作成アプリケーションを起動し（Ｓ３３２）、機器管理サーバ１０に店舗ＩＤの発行を要求する（Ｓ３３４）。ここで、店舗装置３０はＲ／Ｗと接続されており、当該Ｒ／Ｗおよび店舗装置３０を介してＲＦタグ３２と機器管理サーバ１０が相互認証を行う（Ｓ３３６）。そして、機器管理サーバ１０のＩＤ発行部１１０が店舗ＩＤを発行し、発行された店舗ＩＤをＲ／ＷがＲＦタグ３２に書き込む（Ｓ３３８）。
【００８３】
続いて、店舗装置３０が商品情報ＤＢへのアクセス情報を機器管理サーバ１０へ送信する（Ｓ３４０）。そして、機器管理サーバ１０において当該アクセス情報が店舗ＩＤと対応付けて登録されると（Ｓ３４２）、機器管理サーバ１０から店舗装置３０へ登録完了通知が送信される（Ｓ３４４）。
【００８４】
その後、店舗のスタッフが、店舗ＩＤが書き込まれたＲＦタグ３２を店舗内に配置する（Ｓ３４６）。これにより、店舗に立ち寄ったユーザが、携帯端末２２のＲ／Ｗ２６２をＲＦタグ３２にかざすことにより店舗ＩＤを取得することが可能となる。なお、ＲＦタグ３２は、図６に示したようにＩＣカードであってもよい。
【００８５】
また、店舗のスタッフが書面で店舗ＩＤの発行を要求し、機器管理サーバ１０側でＲＦタグに店舗ＩＤを書き込み、店舗ＩＤが書き込まれたＲＦタグを店舗側に郵送することも可能である。
【００８６】
（第２の例）
図７は、店舗ＩＤを発行するための第２の処理例を示したシーケンス図である。図７に示したように、まず、店舗装置３０はＱＲコード作成アプリケーションを起動し（Ｓ３５２）、機器管理サーバ１０にＱＲコードの発行を要求する（Ｓ３５４）。続いて、店舗装置３０のＩＤ発行部１１０が、店舗ＩＤを発行し、発行した店舗ＩＤが埋め込まれたＱＲコードを生成する（Ｓ３５６）。その後、店舗装置３０は、生成されたＱＲコードを店舗装置３０に発行する（Ｓ３５８）。
【００８７】
続いて、店舗装置３０が商品情報ＤＢへのアクセス情報を機器管理サーバ１０へ送信する（Ｓ３６０）。そして、機器管理サーバ１０において当該アクセス情報が店舗ＩＤと対応付けて登録されると（Ｓ３６２）、機器管理サーバ１０から店舗装置３０へ登録完了通知が送信される（Ｓ３６４）。
【００８８】
その後、店舗のスタッフが、発行されたＱＲコードを印刷し、店舗内に掲示する（Ｓ３６６）。これにより、店舗に立ち寄ったユーザが、携帯端末２２のＱＲコード読取り部２６４を用いて店舗内に掲示されたＱＲコードから店舗ＩＤを取得することが可能となる。
【００８９】
なお、店舗のスタッフが書面でＱＲコードの発行を要求し、機器管理サーバ１０側で店舗ＩＤが埋め込まれたＱＲコードを印刷し、印刷したＱＲコードを店舗側に郵送することも可能である。
【００９０】
（第３の例）
図８は、店舗ＩＤを発行するための第３の処理例を示したシーケンス図である。図８に示したように、まず、店舗装置３０はＩＤ管理アプリケーションを起動し（Ｓ３７２）、機器管理サーバ１０に店舗ＩＤの発行を要求する（Ｓ３７４）。続いて、機器管理サーバ１０は、店舗ＩＤを発行し、発行した店舗ＩＤ、およびＩＤ送信先サーバ情報として自身へのアクセス情報を店舗装置３０に送信する（Ｓ３７６）。
【００９１】
続いて、店舗装置３０が商品情報ＤＢへのアクセス情報を機器管理サーバ１０へ送信する（Ｓ３７８）。そして、機器管理サーバ１０において当該アクセス情報が店舗ＩＤと対応付けて登録されると（Ｓ３８０）、機器管理サーバ１０から店舗装置３０へ登録完了通知が送信される（Ｓ３８２）。
【００９２】
その後、店舗内に、ユーザのＲＦタグからタグＩＤを読み取るためのＲ／Ｗ３４を配置する（Ｓ３８４）。この第３の処理例によれば、店舗装置３０が、Ｒ／Ｗ３４により読取られるユーザのＲＦタグのタグＩＤを、Ｓ３７６において発行された店舗ＩＤと併せて機器管理サーバ１０に送信することが可能である。
【００９３】
［６−３．店舗ＩＤの登録］
機器管理サーバ１０は、ユーザ機器の機器ＩＤと店舗ＩＤとの対応付けを多様な方法により行うことができる。以下では、その一例として、機器ＩＤと店舗ＩＤを対応付けるための第１の処理例〜第３の処理例を説明する。
【００９４】
（第１の例）
図９は、機器ＩＤと店舗ＩＤを対応付けるための第１の処理例を示したシーケンス図である。この第１の処理例は、「６−２．店舗への店舗ＩＤの発行」で説明した第１の例または第２の例の後に続く処理である。
【００９５】
図９に示したように、まず、携帯端末２２がＲ／Ｗ２６２を起動し（Ｓ４０２）、携帯端末２２が店舗内に配置されたＲＦタグ３２にかざされると、ＲＦタグ３２から店舗ＩＤが読み出される（Ｓ４０４）。なお、店舗内にＱＲコードが掲示されている場合、携帯端末２２は、ＱＲコード読取り部２６４を起動し、ＱＲコードから店舗ＩＤを読み取ることができる。また、当該店舗がＷｅｂページ上にＱＲコードを表示する仮想店舗である場合にも、携帯端末２２はＱＲコード読取り部２６４を起動し、ＱＲコードから店舗ＩＤを読み取ることができる。
【００９６】
そして、携帯端末２２は、取得した店舗ＩＤと携帯端末２２の端末ＩＤを機器管理サーバ１０に送信する（Ｓ４０６）。すると、機器管理サーバ１０の登録処理部１１２が、携帯端末２２から受信された店舗ＩＤを、登録済の携帯端末２２の端末ＩＤと対応付けて記憶部１１４に登録する（Ｓ４０８）。そして、機器管理サーバ１０は、登録が完了すると、登録完了通知を携帯端末２２に送信する（Ｓ４１０）。
【００９７】
（第２の例）
図１０は、機器ＩＤと店舗ＩＤを対応付けるための第２の処理例を示したシーケンス図である。この第２の処理例は、「６−２．店舗への店舗ＩＤの発行」で説明した第３の例の後に行われる処理である。
【００９８】
図１０に示したように、店舗内に配置されたＲ／Ｗ３４に携帯端末２２のＲＦタグ２６０がかざされると（Ｓ４１２）、Ｒ／Ｗ３４がＲＦタグ２６０のタグＩＤを読み取る（Ｓ４１４）。そして、店舗装置３０が、Ｒ／Ｗ３４により読取られたタグＩＤを、機器管理サーバ１０から発行済の店舗ＩＤと併せて機器管理サーバ１０に送信する（Ｓ４１６）。なお、店舗に電子決済に対応するレジが存在する場合には、ＲＦタグ２６０を用いた決済時に、課金情報と共に当該レジにおいてＲＦタグ２６０のタグＩＤを取得することも可能である。
【００９９】
続いて、機器管理サーバ１０の登録処理部１１２が、店舗装置３０から受信された店舗ＩＤを、登録済であるタグＩＤと対応付けて記憶部１１４に登録する（Ｓ４１８）。そして、機器管理サーバ１０は、登録が完了すると、登録完了通知を店舗装置３０に送信する（Ｓ４２０）。
【０１００】
さらに、機器管理サーバ１０は、店舗装置３０から受信したタグＩＤに対応する端末ＩＤを検索し（Ｓ４２２）、端末ＩＤに紐付けられた通知先（例えば、携帯端末２２のメールアドレス）へ新規店舗を登録した旨を通知する（Ｓ４２４）。
【０１０１】
（第３の例）
図１１は、機器ＩＤと店舗ＩＤを対応付けるための第３の処理例を示したシーケンス図である。この第３の処理例は、店舗装置３０が店舗のホームページやＥＣ（Ｅｌｅｃｔｒｏｎｉｃ  Ｃｏｍｍｅｒｃｅ）サイトなどのＷｅｂページを提供する仮想店舗装置であり、店舗装置３０に店舗ＩＤが発行された後に行われる処理である。
【０１０２】
図１１に示したように、まず、店舗装置３０からユーザＰＣ２６にＷｅｂページが送信されると、ユーザＰＣ２６がＷｅｂページを表示する（Ｓ４３４）。続いて、Ｗｅｂページに配置された所定のボタンがユーザにより選択され、ユーザＰＣ２６に接続されたＲ／Ｗ２８に携帯端末２２がかざされると（Ｓ４３６）、Ｒ／Ｗ２８が携帯端末２２のＲＦタグ２６０のタグＩＤを読み取る（Ｓ４３８）。そして、ユーザＰＣ２６は、Ｒ／Ｗ２８により読取られたタグＩＤを店舗装置３０に送信する（Ｓ４４０）。
【０１０３】
その後、店舗装置３０が、ユーザＰＣ２６から受信したタグＩＤを、機器管理サーバ１０から発行済の店舗ＩＤと併せて機器管理サーバ１０に送信する（Ｓ４４２）。続いて、機器管理サーバ１０の登録処理部１１２が、店舗装置３０から受信された店舗ＩＤを、登録であるタグＩＤと対応付けて記憶部１１４に登録する（Ｓ４４４）。そして、機器管理サーバ１０は、登録が完了すると、登録完了通知を店舗装置３０に送信する（Ｓ４４６）。
【０１０４】
さらに、機器管理サーバ１０は、店舗装置３０から受信したタグＩＤに対応する端末ＩＤを検索し（Ｓ４４８）、端末ＩＤに紐付けられた通知先（例えば、携帯端末２２のメールアドレス）へ新規店舗を登録した旨を通知する（Ｓ４５０）。
【０１０５】
（登録状態の具体例）
続いて、以上説明した登録処理後の機器ＩＤや店舗ＩＤの登録状態の具体例を説明する。
【０１０６】
図１２は、機器ＩＤおよび店舗ＩＤの登録処理後の機器ＩＤや店舗ＩＤの登録状態を模式的に示した説明図である。図１２に示したように、「６−１．ユーザ機器の登録」で説明した処理により、機器ＩＤ、端末ＩＤ、およびタグＩＤが対応付けて登録される。
【０１０７】
さらに、「６−３．店舗ＩＤの登録」で説明した処理により、端末ＩＤやタグＩＤに店舗ＩＤが対応付けて登録される。具体的には、図１２に示した例では、端末ＩＤと「店舗０１」および「店舗０２」が対応付けられ、タグＩＤに「店舗０３」および「店舗０４」が対応付けられている。これら「店舗１」〜「店舗４」はユーザの仮想ショッピングモールを構成する。
【０１０８】
なお、機器ＩＤ、端末ＩＤ、およびタグＩＤは対応付けられているため、機器ＩＤ、端末ＩＤ、およびタグＩＤのいずれかのＩＤに直接対応付けられている店舗ＩＤは、他のＩＤに間接的に対応付けられていると捉えることができる。例えば、端末ＩＤには、「店舗０３」および「店舗０４」が間接的に対応付けられていると捉えてもよい。
【０１０９】
また、機器管理サーバ１０は、図１３に示すように、店舗ＩＤにジャンル情報を対応付けて登録することも可能である。
【０１１０】
図１３は、機器ＩＤや店舗ＩＤの登録状態の他の例を示した説明図である。図１３に示した例では、「店舗０１」および「店舗０２」にジャンル情報として「本屋」が対応付けられ、「店舗０３」および「店舗０４」にジャンル情報として「酒屋」が対応付けられている。このような対応付けは、例えば以下に示す方法により実現することができる。
【０１１１】
（例１）店舗内に配置するＲＦタグ３２に、ジャンル情報を書き込んでおく。そして、携帯端末２２は、ＲＦタグ３２から店舗ＩＤとジャンル情報を読み取ると、店舗ＩＤ、端末ＩＤ、およびジャンル情報を機器管理サーバ１０に送信する。これにより、機器管理サーバ１０において端末ＩＤに店舗ＩＤおよびジャンル情報を対応付けて登録することが可能となる。
（例２）店舗内に配置するＲＦタグ３２から店舗ＩＤを読み取った携帯端末２２において、ユーザがジャンル情報を入力する。そして、携帯端末２２が、ユーザにより入力されたジャンル情報を、店舗ＩＤおよび端末ＩＤと共に機器管理サーバ１０に送信する。これにより、機器管理サーバ１０において端末ＩＤに店舗ＩＤおよびジャンル情報を対応付けて登録することが可能となる。また、ユーザは、多様な商品を扱う店舗に対して、例えば「私はこの店舗からはこのジャンルの商品を買う」、という意向を登録情報に反映させることができる。
【０１１２】
（補足）
以上、ユーザ機器の機器ＩＤに、商品を扱う店舗の店舗ＩＤを対応付けて登録する例を説明したが、本実施形態はかかる例に限定されない。例えば、図１４に示すように、店舗ＩＤの上位ＩＤとして、複数店舗の商品を扱うモールサイトを提供するモールサーバ３１にモールＩＤを発行し、モールＩＤを機器ＩＤと対応付けて登録することも可能である。
【０１１３】
図１４は、機器ＩＤとモールＩＤが対応付けて登録される例を示した説明図である。図１４に示したように、機器管理サーバ１０は、モールサイト「楽人」を提供するモールサーバ３１Ａ、モールサイト「Ｙａｂｏｏ」を提供するモールサーバ３１Ｂ、およびモールサイト「Ａｍａｚｉｎ」を提供するモールサーバ３１Ｃの各々にモールＩＤを発行する。
【０１１４】
続いて、携帯端末２２のＲＦタグ２６０のタグＩＤがＲ／Ｗ２８に読み出され、当該タグＩＤがユーザＰＣ２６から各モールサーバ３１に送信されると、各モールサーバ３１は当該タグＩＤおよびモールＩＤを機器管理サーバ１０に送信する。これにより、図１４に示したように、機器管理サーバ１０においてモールＩＤをタグＩＤと対応付けて登録することが可能となる。なお、上述したジャンル情報をモールＩＤに対応付けて登録することも可能である。
【０１１５】
また、上記では、ユーザ機器の機器ＩＤに、商品を取り扱う店舗の店舗ＩＤを対応付けて登録する例を説明したが、本実施形態はかかる例に限定されない。例えば、図１５に示すように、ユーザ機器の機器ＩＤに、グルメサイトを提供するグルメサイトサーバ３３の店舗ＩＤを対応付けて登録することも可能である。このグルメサイトサーバ３３の店舗ＩＤは、モールＩＤと同様に、複数の個別店舗の店舗ＩＤを包含する、個別店舗の店舗ＩＤの上位ＩＤとして位置付けられる。
【０１１６】
図１５は、機器ＩＤと、グルメサイトサーバ３３の店舗ＩＤが対応付けて登録される例を示した説明図である。図１５に示したように、機器管理サーバ１０は、グルメサイト「食べなび」を提供するグルメサイトサーバ３３Ａ、グルメサイト「ぐるログ」を提供するグルメサイトサーバ３３Ｂ、およびグルメサイト「ホットペーパー」を提供するグルメサイトサーバ３３Ｃの各々に店舗ＩＤを発行する。
【０１１７】
続いて、携帯端末２２の端末ＩＤが携帯端末２２から各グルメサイトサーバ３３へ送信されると、各グルメサイトサーバ３３は、当該端末ＩＤおよび店舗ＩＤを機器管理サーバ１０に送信する。これにより、図１５に示したように、機器管理サーバ１０においてグルメサイトサーバ３３の店舗ＩＤを端末ＩＤと対応付けて登録することが可能となる。なお、あるジャンルの飲食店の検索は特定のグルメサイトサーバ３３で行うというユースケースを想定し、上述した方法により、店舗ＩＤに、「洋食」、「和食」、「寿司」、および「ステーキ」などのジャンル情報を対応付けて登録することも可能である。
【０１１８】
［６−４．商品の選択、および商品情報の取得］
以上説明した処理により、ユーザ機器の機器ＩＤと、ユーザのお気に入りの店舗の店舗ＩＤ（またはモールＩＤ）が対応付けて機器管理サーバ１０に登録される。その後、ユーザは、ユーザ機器において商品を選択すると、お気に入り店舗から商品情報を取得することができる。以下、ユーザが商品を選択し、商品情報を取得するための処理を説明する。
【０１１９】
（第１の例）
映像処理機器２０は、データ記憶部２１４にＣＭメタ情報ＤＢを有する。また、各ＣＭメタ情報は、対応するＣＭによる宣伝対象の商品ＩＤや商品名などの情報を含む。このため、映像処理機器２０は、図１６に示すように、ＣＭメタ情報に基づいて商品の選択画面を生成し、ユーザに商品選択を促すことができる。
【０１２０】
図１６は、ＣＭメタ情報に基づいてユーザが商品選択する具体例を示した説明図である。まず、映像処理機器２０の表示生成部２１８は、図１６に示したようにメインメニュー４０−１を生成する。このメインメニュー４０−１の水平方向には、複数のカテゴリアイコンからなるカテゴリアイコン配列４２が配置される。なお、カテゴリとしては、「フォト」、「ビデオ」、「地上アナログ放送」、「地上デジタル放送」、「ＢＳデジタル放送」、「ＣＳデジタル放送」、および「外部入力」などがあげられる。
【０１２１】
また、カテゴリアイコン配列４２のうちで選択中のカテゴリアイコンと交差する縦方向には、複数の項目アイコンからなる項目アイコン配列４４が配置される。例えば、図１６に示したメインメニュー４０−１においては、「ビデオ」のカテゴリアイコンが選択中であり、「ビデオ」のカテゴリアイコンの上下に、「ビデオ」に関する項目を示す複数の項目アイコンが配置される。
【０１２２】
この項目アイコン配列４４において項目アイコン「ＣＭカタログ」がユーザにより選択されると、表示生成部２１８は、商品ジャンルリスト４０−２を生成する。そして、この商品ジャンルリスト４０−２において例えばジャンル「家電」がユーザにより選択されると、表示生成部２１８は、ジャンルが家電である商品の一覧であるＣＭ商品リスト４０−３を生成する。
【０１２３】
さらに、ＣＭ商品リスト４０−３においてユーザにより商品が選択されると、表示生成部２１８は、選択された商品を宣伝するＣＭデータを再生し、ＣＭ再生画面４０−４を生成する。例えば、図１６に示したように、ＣＭ商品リスト４０−３において商品「ｘｘｘｘ」がユーザにより選択されると、表示生成部２１８は、商品「ｘｘｘｘ」を宣伝するＣＭデータを再生する。
【０１２４】
このＣＭ再生画面４０−４においてユーザにより所定操作が行われると、表示生成部２１８は、図１６に示したように商品紹介画面４０−５を生成する。商品紹介画面４０−５は、「購入」、「Ｂｏｏｋｍａｒｋ」、および「詳細」などの選択項目を含む。この商品紹介画面４０−５においてユーザにより選択項目「詳細」が選択されると、映像処理機器２０は当該商品の商品情報の取得を機器管理サーバ１０へ要求する。以下、商品が選択された後の処理について図１７を参照して説明する。
【０１２５】
図１７は、ユーザ機器が商品情報を取得するための処理を示したシーケンス図である。まず、ユーザにより例えば図１６に示した表示画面を介して商品が選択されると（Ｓ５０２）、映像処理機器２０の検索依頼生成部２２４が、選択された商品の商品ＩＤ、映像処理機器２０の機器ＩＤ、および出力先情報を含む検索依頼を生成する。なお、出力先情報は、商品情報の出力先を指定する情報であり、ここでは出力先として携帯端末２２が指定されたものとする。
【０１２６】
続いて、映像処理機器２０が検索依頼を機器管理サーバ１０に送信すると（Ｓ５０４）、機器管理サーバ１０の検索要求部１１６が、検索依頼に含まれる機器ＩＤに対応付けられた店舗ＩＤを検索する（Ｓ５０６）。そして、機器管理サーバ１０は、検索要求部１１６により検索された店舗ＩＤに対応する店舗、すなわちユーザのお気に入り店舗の店舗装置３０に、検索依頼に含まれる商品ＩＤを送信する（Ｓ５０８）。なお、商品ＩＤが各店舗で共通化されていない場合、機器管理サーバ１０は、検索依頼に含まれる商品ＩＤを検索要求部１１６により検索された店舗ごとに変換し、変換後の商品ＩＤを各店舗装置３０に送信してもよい。具体的には、機器管理サーバ１０は、店舗間の商品ＩＤ変換用データベースに基づき、検索依頼に含まれる商品ＩＤを、送信先店舗装置において同一商品を示す商品ＩＤに変換してもよい。
【０１２７】
すると、各店舗装置３０は、受信した商品ＩＤに対応する商品情報を商品情報ＤＢから検索し（Ｓ５１０）、検索結果を機器管理サーバ１０に通知する（Ｓ５１４）。ここで、検索結果としては、価格、在庫の有無、納期などがあげられる。
【０１２８】
その後、機器管理サーバ１０の情報生成部１１８は、各店舗装置３０からの検索結果を統合し、検索依頼において指定された携帯端末２２向けの検索結果情報を生成する（Ｓ５１６）。ここで、検索結果情報は、検索結果を示す表示画面であっても、受信先において検索結果画面を生成するための情報であってもよい。また、検索依頼において出力先が指定されていない場合、情報生成部１１８は、検索依頼の送信元装置向けの検索結果情報を生成してもよい。
【０１２９】
そして、機器管理サーバ１０が検索結果の生成を携帯端末２２にメールで通知し（Ｓ５１８）、携帯端末２２から検索結果を要求されると（Ｓ５２０）、機器管理サーバ１０は検索結果情報を携帯端末２２に送信する（Ｓ５２２）。その後、携帯端末２２が検索結果画面を生成し、表示部２７０に検索結果画面を出力する（Ｓ５２４）。当該シーケンスによれば、検索結果画面はユーザのお気に入り店舗における商品情報で構成されるので、ユーザの満足度の向上が期待される。
【０１３０】
なお、各店舗において商品在庫がない場合、図１８に示す代替処理を行ってもよい。
【０１３１】
図１８は、検索依頼先の各店舗に商品在庫がない場合の代替処理を示した説明図である。図１８に示したように、各店舗装置３０から商品在庫が無いことを示す検索結果が通知された場合（Ｓ５１４’）、機器管理サーバ１０は、映像処理機器２０に既定店舗からの商品情報の検索を依頼する（Ｓ５２６）。すると、映像処理機器２０は、規定店舗装置３０’（例えば、ＣＭカタログに登録された店舗、ＣＭメタ情報に記載された店舗）にユーザにより選択された商品の商品ＩＤを送信する（Ｓ５２８）。
【０１３２】
映像処理機器２０から商品ＩＤを受信した規定店舗装置３０’は、受信した商品ＩＤに対応する商品情報を商品情報ＤＢから検索し（Ｓ５３０）、映像処理機器２０を介して検索結果を機器管理サーバ１０に通知する（Ｓ５３２）。
【０１３３】
その後、機器管理サーバ１０は、規定店舗装置３０’からの通知に基づいて検索結果情報を生成する（Ｓ５３４）。そして、機器管理サーバ１０が検索結果の生成を携帯端末２２にメールで通知し（Ｓ５３６）、携帯端末２２から検索結果を要求されると（Ｓ５３８）、機器管理サーバ１０は検索結果情報を携帯端末２２に送信する（Ｓ５４０）。その後、携帯端末２２が検索結果画面を生成し、表示部２７０に検索結果画面を出力する（Ｓ５４２）。
【０１３４】
かかる構成により、ユーザのお気に入り店舗に商品在庫がない場合であっても、規定店舗における商品情報をユーザに提示することが可能となる。
【０１３５】
以下、図１９〜図２１を参照し、ユーザ機器が商品情報を取得するための処理をより具体的に説明する。
【０１３６】
図１９に示したように、ユーザがリモートコントローラ２１を操作することにより、
表示装置２４において表示されたＣＭ再生画面などを介し、商品ジャンルが「家電」であり、商品ＩＤが「４９０５５２４４８７３９８」である商品を選択した場合を考える。この場合、映像処理機器２０は、商品ＩＤ「４９０５５２４４８７３９８」、商品ジャンル「家電」、および出力先情報「ｍｏｂｉｌｅ」を含む検索依頼を機器管理サーバ１０へ送信する。
【０１３７】
すると、機器管理サーバ１０は、映像処理機器２０の機器ＩＤ「ａｂｃｄｅｆ」と対応付けられており、かつ、ジャンルが「家電」である店舗ＩＤを抽出する。そして、機器管理サーバ１０は、抽出した店舗ＩＤに対応する店舗に商品ＩＤ「４９０５５２４４８７３９８」を送信する。例えば、機器管理サーバ１０は、店舗ＩＤが「１２３４５６」である「佐藤カメラ」、店舗ＩＤが「１２３４５７」である「第三家電」、店舗ＩＤが「１２３４５８」である「鈴木デンキ」、店舗ＩＤが「１２３４５９」である「高田無線」に商品ＩＤを送信する。
【０１３８】
その後、商品ＩＤを受信した各店舗は、図２０に示したように、受信した商品ＩＤに基づいて商品情報を検索し、検索した商品情報を機器管理サーバ１０に送信する。そして、機器管理サーバ１０が、各店舗から受信した商品情報を統合して検索結果情報を生成し、検索結果情報を出力先として指定された携帯端末２２に送信する。これにより、携帯端末２２は、ユーザが選択した商品の検索結果画面をユーザに提示することができる。
【０１３９】
図２１は、検索結果画面の具体例を示した説明図である。図２１に示したように、検索結果画面は、ユーザにより選択された商品の商品画像４７、基本情報４８、および店舗別情報４９を含む。また、店舗別情報４９は、店舗ごとの商品価格や在庫の有無などの情報を含む。
【０１４０】
また。店舗別情報４９には、各店舗の販売用ＷｅｂページのＵＲＬが埋め込まれていてもよい。この場合、携帯端末２２は、店舗別情報４９においてユーザにより店舗が選択されると、選択された店舗の販売用Ｗｅｂページを取得して提示することができる。または、ユーザにより店舗が選択された場合、選択された店舗の地図情報や電話番号が提示されるようにしてもよい。
【０１４１】
（検索結果情報の生成方法）
なお、機器管理サーバ１０の情報生成部１１８は、所定の規則に従って検索結果情報を生成する。
【０１４２】
例えば、情報生成部１１８は、各店舗装置３０から受信される商品情報を、商品価格が安い順にユーザ機器において提示されるように検索結果情報に組み込んでもよい。この場合、図２１に示した例とは異なり、商品情報が「高田無線」、「鈴木デンキ」、「第三家電」、「佐藤カメラ」、の順で上方から配置された検索結果画面がユーザに提示される。
【０１４３】
また、情報生成部１１８は、商品在庫がある店舗装置３０からの商品情報のみを検索結果情報に組み込んでもよい。この場合、図２１に示した例とは異なり、商品在庫が無い「佐藤カメラ」からの商品情報は検索結果画面において提示されない。
【０１４４】
また、情報生成部１１８は、商品を最も安価に購入できる店舗からの情報のみを検索結果情報に組み込んでもよい。この場合、図２１に示した例とは異なり、店舗別情報４９に「高田無線」からの商品情報のみを含む検索結果画面がユーザに提示される。
【０１４５】
また、情報生成部１１８は、各店舗の営業時間と現在日時を比較し、現在日時が営業時間中である店舗からの商品情報のみを検索結果情報に組み込んでもよい。また、情報生成部１１８は、各店舗装置３０から受信される商品情報を、出力先として指定されたユーザ機器の現在位置に近い店舗からの商品情報順にユーザ機器において提示されるように検索結果情報に組み込んでもよい。これにより、ユーザは、商品を現在購入できる、あるいは購入し易い店舗を把握することができる。
【０１４６】
（第２の例）
上記では、ユーザがＣＭ商品リストから商品を選択する例を説明したが、本実施形態はかかる例に限定されない。例えば、ユーザは、ユーザ機器において、各店舗により作成されるチラシデータ（電子チラシ）から商品を選択することも可能である。以下、チラシデータの具体例、チラシデータの取得方法、およびチラシデータからの商品選択について説明する。
【０１４７】
図２２は、チラシデータの具体例を示した説明図である。図２２に示したように、チラシデータは、「佐藤カメラ」という店舗名や、商品画像および商品価格などを含む。また、このチラシデータには例えばＸＭＬファイルで構成されるチラシメタ情報が付随する。チラシメタ情報には、店舗名、チラシデータに掲載されている商品名、および商品ＩＤなどが含まれる。ユーザは、このようなチラシデータを、図２３または図２４に示すシーケンスにより取得することができる。
【０１４８】
図２３は、ユーザ機器がチラシデータを取得するための第１の処理例を示したシーケンス図である。図２３に示したように、店舗装置３０は、チラシデータを作成し、チラシデータを保存すると（Ｓ５５２）、店舗ＩＤおよびチラシデータの取得用ＵＲＬを含むチラシデータの更新通知を機器管理サーバ１０に送信する（Ｓ５５４）。
【０１４９】
続いて、機器管理サーバ１０のチラシ管理部１２０は、更新通知に含まれる店舗ＩＤに対応付けられた機器ＩＤを検索し（Ｓ５５６）、検索した機器ＩＤを有する映像処理機器２０に、チラシデータの取得用ＵＲＬを含むチラシデータの取得用情報を通知する（Ｓ５５８）。
【０１５０】
そして、映像処理機器２０は、取得用情報に含まれる取得用ＵＲＬに対してチラシデータの取得要求を送信する（Ｓ５６０）。ここで、映像処理機器２０は、付加情報として映像処理機器２０の位置データを送信してもよい。
【０１５１】
続いて、店舗装置３０は、映像処理機器２０の位置データ（例えば、郵便番号）に基づいてチラシデータをカスタマイズし（Ｓ５６２）、カスタマイズ後のチラシデータを映像処理機器２０に送信する（Ｓ５６４）。例えば、店舗装置３０は、映像処理機器２０と近い支店店舗での特売商品をチラシデータに組み込むことによりチラシデータをカスタマイズしてもよい。
【０１５２】
その後、映像処理機器２０は、店舗装置３０から受信したチラシデータをデータ記憶部２１４に記録し（Ｓ５６６）、ユーザの要求に応じてチラシデータを表示する（Ｓ５６８）。
【０１５３】
図２４は、ユーザ機器がチラシデータを取得するための第２の処理例を示したシーケンス図である。図２４に示したように、店舗装置３０は、チラシデータを作成すると（Ｓ５７２）、店舗ＩＤおよびチラシデータの取得用ＵＲＬを含むチラシデータの更新通知を機器管理サーバ１０に送信する（Ｓ５７４）。
【０１５４】
続いて、機器管理サーバ１０が、更新通知に含まれる取得用ＵＲＬに対してチラシデータの取得要求を送信し（Ｓ５７６）、店舗装置３０からチラシデータおよび店舗ＩＤが受信されると（Ｓ５７８）、チラシデータを店舗ＩＤと対応付けて記録する（Ｓ５８０）。
【０１５５】
その後、機器管理サーバ１０のチラシ管理部１２０は、映像処理機器２０からチラシデータの取得を要求されると（Ｓ５８２）、映像処理機器２０の機器ＩＤに対応付けられた店舗からの新規チラシデータを検索する（Ｓ５８４）。そして、映像処理機器２０は、機器管理サーバ１０において検索されたチラシデータを受信すると（Ｓ５８６）、チラシデータをデータ記憶部２１４に記録し（Ｓ５８８）、ユーザの要求に応じてチラシデータを表示する（Ｓ５９０）。
【０１５６】
ここで、図２５および図２６を参照し、映像処理機器２０がチラシデータに基づいてチラシ画像を表示し、ユーザがチラシ画像から商品を選択する具体例を説明する。
【０１５７】
まず、映像処理機器２０の表示生成部２１８は、図２５に示したように、水平方向にカテゴリアイコン配列５２が配置され、縦方向に項目アイコン配列５４が配置されたメインメニュー５０−１を生成する。
【０１５８】
このメインメニュー５０−１において項目アイコン「チラシ」がユーザにより選択されると、表示生成部２１８は、チラシ配布元のジャンルリスト５０−２を生成する。そして、このチラシ配布元のジャンルリスト５０−２において例えばジャンル「家電」がユーザにより選択されると、表示生成部２１８は、ジャンルが「家電」である店舗（チラシ配布元）の一覧である店舗リスト５０−３を生成する。
【０１５９】
さらに、店舗リスト５０−３においてユーザにより店舗「佐藤カメラ」が選択されると、表示生成部２１８は、「佐藤カメラ」から取得したチラシデータに基づいてチラシ画像５０−４を生成する。
【０１６０】
その後、表示生成部２１８は、ユーザにより画像拡大を指示されると、図２６に示したようにチラシの拡大画像５０−５を生成し、ユーザにより商品リストの表示を指示されると、チラシメタ情報に基づいてチラシ商品リスト５０−６を生成する。
【０１６１】
このチラシ商品リスト５０−６においてユーザにより商品が選択されると、表示生成部２１８はサブメニュー５６を表示する。そして、サブメニュー５６内の「商品情報を検索」がユーザにより選択されると、映像処理機器２０はユーザにより選択された商品の商品情報を機器管理サーバ１０へ要求する。その後、携帯端末２２は、図１７や図１８に示したシーケンスにより商品情報を取得することができる。
【０１６２】
（第３の例）
また、図２７〜図２９を参照して説明するように、ユーザ機器は、商品ＩＤを、番組データの番組メタ情報から取得することも可能である。
【０１６３】
図２７は、ビデオショッピングとして記録された番組データを表示する具体例を示した説明図である。図２７に示したように、映像処理機器２０の表示生成部２１８は、図２７に示したように、水平方向にカテゴリアイコン配列６２が配置され、縦方向に項目アイコン配列６４が配置されたメインメニュー６０−１を生成する。なお、従来のテレビショッピングでは、ユーザがリアルタイムで番組を視聴し、気に入った商品の購入を電話などで申し込むことが想定されていた。これに対し、ビデオショッピングは、録画されたテレビショッピング番組を、取扱商品が登場する時間区分ごとにチャプター化し、各チャプターに取扱商品のメタ情報を付与するものである。これにより、ユーザは、ビデオショッピング番組の視聴時に、テレビショッピング番組の視聴時と同様に、ビデオショッピング番組における取扱商品を購入することが可能となる。ここで、メタ情報の提供がテレビショッピングでの商品販売業者と同一である場合、メタ情報に基づく商品の検索および販売は、図２８に示したように、当該商品販売業者の運営する店舗装置により行われる。また、メタ情報の付与が第三者により行われた場合、商品情報の検索は、機器管理サーバ１０を介してユーザ機器と対応付けられた店舗装置に対して行われるようにしてもよい。
【０１６４】
このメインメニュー６０−１において項目アイコン「ビデオショッピング」がユーザにより選択されると、表示生成部２１８は、番組提供元のジャンルリスト６０−２を生成する。そして、このジャンルリスト６０−２においてジャンル「通販」が選択されると、
ジャンルが「通販」である店舗（番組提供元）の一覧である店舗リスト６０−３を生成する。
【０１６５】
さらに、店舗リスト６０−３においてユーザにより店舗「ジャンネットたなた」が選択されると、表示生成部２１８は、「ジャンネットたなた」による番組データを再生し、番組再生画面６０−４を生成する。この番組再生画面６０−４においてユーザにより所定操作が行われると、表示生成部２１８はサブメニュー６６を表示する。そして、サブメニュー６６内の「商品情報を検索」がユーザにより選択されると、映像処理機器２０は、番組のメタ情報に含まれる商品ＩＤを抽出し、抽出した商品ＩＤに基づいて商品情報を取得する。
【０１６６】
図２８は、ビデオショッピングとして記録された番組データに基づいて商品情報を取得する具体例を示した説明図である。図２８に示したように、表示装置２４において表示された通販番組を介し、商品ＩＤが「ＸＸＸＸＸＸＸＸＸＸＸ」である商品がユーザにより選択された場合を考える。また、この通販番組の番組メタ情報には、店舗ジャンルとして「家電・その他」が記載され、商品情報の検索依頼先の店舗名として「ジャンネットたなた」が記載されているものとする。
【０１６７】
このように、番組メタ情報において商品情報の検索依頼先が指定されている場合、映像処理機器２０は、指定されている「ジャンネットたなた」に商品ＩＤ「ＸＸＸＸＸＸＸＸＸＸＸ」を送信する。そして、映像処理機器２０は、「ジャンネットたなた」から商品情報を取得し、商品情報を出力先情報と併せて機器管理サーバ１０に送信する。続いて、機器管理サーバ１０が、商品情報を出力先として指定された携帯端末２２に送信することにより、携帯端末２２が商品の検索結果画面６８をユーザに提示することが可能となる。
【０１６８】
なお、番組メタ情報において商品情報の検索依頼先が指定されていない場合、映像処理機器２０は、図２９に示すように、通常通りに機器管理サーバ１０に対して検索依頼を送信する。
【０１６９】
図２９は、ビデオショッピングとして記録された番組データに基づいて商品情報を取得する他の例を示した説明図である。図２９に示したように、表示装置２４において表示された番組を介し、タイトルが「ＹＹＹＹ」であり、ＩＳＢＮが「ＸＸＸ−ＸＸＸＸＸＸＸＸＸ」であり、キーワードが「ＺＺＺＺＺＺ」である書籍がユーザにより選択された場合を考える。なお、図２９に示した番組は、タイトルが「ＹＹＹＹ」である書籍を題材とするブックレビュー番組であり、上記のタイトルやＩＳＢＮは番組メタ情報に含まれる。
【０１７０】
この場合、映像処理機器２０は、番組メタ情報から書籍の識別情報を抽出し、書籍の識別情報、機器ＩＤ、および出力先情報を含む検索依頼を機器管理サーバ１０に送信する。なお、書籍の識別情報は、タイトルであっても、ＩＳＢＮであってもよい。
【０１７１】
その後、機器管理サーバ１０が、検索依頼に含まれる機器ＩＤと対応付けられ、かつ、ジャンルが「本屋」である店舗に書籍の識別情報を送信し、各店舗から取得した書籍情報を出力先として指定された携帯端末２２に送信する。
【０１７２】
このように、映像処理機器２０は、検索依頼する対象（商品、書籍など）の識別情報を番組メタ情報から取得し、当該対象に関する検索結果画面を携帯端末２２に表示させることも可能である。
【０１７３】
（第４の例）
また、上記では、映像処理機器２０が検索依頼する対象が商品や書籍などの売買対象物である例を説明したが、本実施形態はかかる例に限定されない。例えば、映像処理機器２０が検索依頼する対象は、以下に説明するように飲食店であってもよい。
【０１７４】
図３０および図３１は、ユーザ機器が飲食店情報を取得する具体例を示した説明図である。図３０に示したように、表示装置２４において表示されたグルメリポート番組を介し、店舗ジャンルが「ステーキハウス」であり、店舗名が「Ｔｅｐｐａｎ  Ｄｉｎｉｎｇ」であり、キーワードが「飛騨牛、ステーキ」である飲食店がユーザにより選択された場合を考える。なお、上記の店舗ジャンルや店舗名などは上記グルメリポート番組の番組メタ情報に含まれる。
【０１７５】
この場合、映像処理機器２０は、番組メタ情報から店舗名「Ｔｅｐｐａｎ  Ｄｉｎｉｎｇ」を対象識別情報として抽出し、店舗名、機器ＩＤ、および出力先情報を含む検索依頼を機器管理サーバ１０に送信する。そして、機器管理サーバ１０は、検索依頼に含まれる機器ＩＤと対応付けられ、かつ、ジャンルが「グルメ」であるグルメサイトサーバに店舗名を送信する。
【０１７６】
すると、各グルメサイトサーバは、図３１に示したように、受信した店舗名が「Ｔｅｐｐａｎ  Ｄｉｎｉｎｇ」である飲食店の情報を検索し、検索した飲食店情報を機器管理サーバ１０に送信する。なお、飲食店情報は、営業時間、店内画像、提供メニュー、アクセス情報およびクーポン情報などを含んでもよい。
【０１７７】
機器管理サーバ１０は、各グルメサイトサーバから飲食店情報を受信すると、各グルメサイトサーバから受信した飲食店情報を統合して検索結果情報を生成し、携帯端末２２に送信する。これにより、携帯端末２２において飲食店「Ｔｅｐｐａｎ  Ｄｉｎｉｎｇ」に関する検索結果画面を提示することが可能となる。
【０１７８】
＜７．補足＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１７９】
例えば、本明細書の情報処理システム１の処理における各ステップは、必ずしもシーケンス図として記載された順序に沿って時系列に処理する必要はない。例えば、情報処理システム１の処理における各ステップは、シーケンス図として記載した順序と異なる順序で処理されても、並列的に処理されてもよい。
【０１８０】
また、機器管理サーバ１０、映像処理機器２０、および携帯端末２２に内蔵されるＣＰＵなどのハードウェアを、上述した機器管理サーバ１０、映像処理機器２０、および携帯端末２２の各構成と同等の機能を発揮させるためのコンピュータプログラムも作成可能である。また、該コンピュータプログラムを記憶させた記憶媒体も提供される。
【符号の説明】
【０１８１】
１０      機器管理サーバ
１２      ネットワーク
１４      放送局
２０      映像処理機器
２２      携帯端末
２４      表示装置
３０      店舗装置
１０２、２０２、２５２    ＲＯＭ
１０４、２０４、２５４    ＲＡＭ
１０８、２０８、２５８    ネットワーク通信部
１１０    ＩＤ発行部
１１２    登録処理部
１１４    記憶部
１１６    検索要求部
１１８    情報生成部
１２０    チラシ管理部
２１０    放送受信部
２１８    表示生成部
２２４    検索依頼生成部
２６０    ＲＦタグ
２６２    Ｒ／Ｗ
２６４    ＱＲコード読取り部
【図１】
0005499725.tif 000002
【図２】
0005499725.tif 000003
【図３】
0005499725.tif 000004
【図４】
0005499725.tif 000005
【図５】
0005499725.tif 000006
【図６】
0005499725.tif 000007
【図７】
0005499725.tif 000008
【図８】
0005499725.tif 000009
【図９】
0005499725.tif 000010
【図１０】
0005499725.tif 000011
【図１１】
0005499725.tif 000012
【図１２】
0005499725.tif 000013
【図１３】
0005499725.tif 000014
【図１４】
0005499725.tif 000015
【図１５】
0005499725.tif 000016
【図１６】
0005499725.tif 000017
【図１７】
0005499725.tif 000018
【図１８】
0005499725.tif 000019
【図１９】
0005499725.tif 000020
【図２０】
0005499725.tif 000021
【図２１】
0005499725.tif 000022
【図２２】
0005499725.tif 000023
【図２３】
0005499725.tif 000024
【図２４】
0005499725.tif 000025
【図２５】
0005499725.tif 000026
【図２６】
0005499725.tif 000027
【図２７】
0005499725.tif 000028
【図２８】
0005499725.tif 000029
【図２９】
0005499725.tif 000030
【図３０】
0005499725.tif 000031
【図３１】
0005499725.tif 000032